【事件の表示】
　特許第３０２３６５５号「扉体」の請求項１、２に係る特許に対する特許異議の申立てについて、次のとおり決定する。
【結　論】
　訂正を認める。
　特許第３０２３６５５号の請求項１に係る発明の特許を維持する。
【理　由】
１．手続の経緯
　本件特許第３０２３６５５号に係る出願は、平成７年１１月２１日の出願であって、平成１２年１月２１日に特許の設定登録がなされ、その後、段谷産業株式会社と臼谷康から特許異議の申立がなされ、取消理由通知が通知され、その指定期間内である平成１３年２月６日付けで訂正請求がなされたものである。
　
２．訂正の要旨
　訂正事項ａ：特許請求の範囲の【請求項１】を、次のように訂正する。
「框材で框組みされた扉本体の開口部に鏡板が嵌合されてなる扉体において、框材が、木質繊維板とは異なる板材を芯材として、該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着された基材で構成され、框材の長手方向の上記一方の木口面には上記比較的厚手の木質繊維板の厚さおよび幅の範囲内において凹溝が形成され、該凹溝の上端縁および下端縁には上記比較的厚手の木質繊維板の厚さ範囲内において装飾面が形成され、框材の長手方向の他方木口面を被覆し上記凹溝内側面にかけて框材の表面に化粧シート材が貼着され、一方、鏡板の四周木口縁には框材の凹溝に嵌合される凸部が設けられ、その上端縁および下端縁には装飾面が形成され、上記凸部を含む表面に化粧シート材が貼着されてなることを特徴とする扉体。」
　訂正事項ｂ：特許請求の範囲の請求項２を削除する。
　訂正事項ｃ：明細書の段落【０００６】の記載を、次のように訂正する。
「すなわち本発明は、框材で框組みされた扉本体の開口部に鏡板が嵌合されてなる扉体において、框材が、木質繊維板とは異なる板材を芯材として、該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着された基材で構成され、框材の長手方向の上記一方の木口面には上記比較的厚手の木質繊維板の厚さおよび幅の範囲内において凹溝が形成され、該凹溝の上端縁および下端縁には上記比較的厚手の木質繊維板の厚さ範囲内において装飾面が形成され、框材の長手方向の他方木口面を被覆し上記凹溝内側面にかけて框材の表面に化粧シート材が貼着され、一方、鏡板の四周木口縁には框材の凹溝に嵌合される凸部が設けられ、その上端縁および下端縁には装飾面が形成され、上記凸部を含む表面に化粧シート材が貼着されてなることを特徴とする。」
　訂正事項ｄ：明細書の段落【０００８】〜【００３４】を、一つずつ段落番号を繰り上げて、段落【０００７】〜【００３３】とする。
　
３．訂正の適否
　上記訂正事項ａ、ｂに係る訂正は、特許請求の範囲の減縮を目的とするものであり、しかもその訂正は、特許明細書の記載の範囲内のものであり、さらに、実質的に特許請求の範囲を拡張し、又は変更するものではない。
　また、訂正事項ｃに係る訂正は、訂正事項ａに関連し、特許請求の範囲との整合をとるためなされた明瞭でない記載の釈明に該当し、訂正事項ｄに係る訂正は、明瞭でない記載の釈明に該当し、いずれも、特許明細書の記載の範囲内のものであり、実質的に特許請求の範囲を拡張し、又は変更するものではない。
　したがって、上記訂正は、特許法第１２０条の４第２項及び第３項で準用する特許法第１２６条第２項および第３項の規定に適合するので、当該訂正を認める。
　  　
４．異議の申立てについての判断
（１）本件訂正後発明
　本件訂正明細書の請求項１に係る発明は、訂正明細書の特許請求の範囲の請求項１に記載された下記の事項により特定されるとおりのものである（以下、「訂正後発明１」という。）。
【請求項１】　框材で框組みされた扉本体の開口部に鏡板が嵌合されてなる扉体において、框材が、木質繊維板とは異なる板材を芯材として、該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着された基材で構成され、框材の長手方向の上記一方の木口面には上記比較的厚手の木質繊維板の厚さおよび幅の範囲内において凹溝が形成され、該凹溝の上端縁および下端縁には上記比較的厚手の木質繊維板の厚さ範囲内において装飾面が形成され、框材の長手方向の他方木口面を被覆し上記凹溝内側面にかけて框材の表面に化粧シート材が貼着され、一方、鏡板の四周木口縁には框材の凹溝に嵌合される凸部が設けられ、その上端縁および下端縁には装飾面が形成され、上記凸部を含む表面に化粧シート材が貼着されてなることを特徴とする扉体。
　
（２）申立ての理由の概要
　申立人段谷産業株式会社及び臼谷康は、証拠として共に、甲第１号証（特開平７−２３３６７４号公報）、甲第２号証（実願平４−８４６３７号（実開平６−４５０６２号）のＣＤ−ＲＯＭ）、甲第３号証（実願平５−４９２９９号（実開平７−１４０８１号）のＣＤ−ＲＯＭ）を提出し、申立人臼谷康は、さらに、甲第４号証（特開平７−１０９８１０号公報）、甲第５号証（実願昭５３−８７１９６号（実開昭５５−４２７４号）のマイクロフィルム）、甲第６号証（実公平７−２０３０８号公報）を提出して、申立人段谷産業株式会社は、本件請求項１および２に係る特許発明は、甲第１号証ないし甲第３号証に記載された発明に基づいて、当業者が容易に発明をすることができたものであるから、また、申立人臼谷康は、本件請求項１および２に係る特許発明は、甲第１、２号証に記載された発明および甲第３〜６号証に記載された周知技術に基づいて、当業者が容易に発明をすることができたものであるから、特許法第２９条第２項の規定により特許を受けることができないものであり、本件の特許を取り消すべきであると、各々主張している。
　
（３）甲各号証記載の発明
　甲第１号証には、段落【００１３】〜【００１７】及び第１，３，４図の記載を参照すると、「框材で枠組みされた額縁の開口部に鏡板が嵌合されてなるドア、引戸において、框材は、内側縦芯、外側縦芯及びその両表面板を木質繊維板で中空に構成し、内側縦芯の木口面に内側縦芯の厚さおよび幅の範囲内において鏡板の挿入溝を形成し、額縁部両側面は内側縦芯の厚さ範囲内で削り加工で加飾し、額縁部、表面板、木口面の表全面および挿入溝の溝内に化粧紙、塩ビシート等の化粧材を貼着してなるドア、引戸」が記載されている。
　甲第２号証には、段落【００１０】、段落【００２０】から段落【００２３】及び図３の記載を参照すると、「合板、繊維板、木削片板、単板積層板、集成材、無垢材等が、単独で或いは任意二種以上の複合材として用いられる、左右縦框、上下横框より構成される枠体に、鏡板が嵌め込まれてなるドアにおいて、中比重繊維板を基板とする鏡板の周縁部には枠体の嵌合凹部内に挿入される嵌合凸部が形成され、その上端縁および下端縁には装飾面が形成され、嵌合凸部を含む表裏面に化粧シート状物が貼着されている」ことが記載されている。
　甲第３号証には、段落【００１１】から【００１４】及び図１の記載を参照すると、「パーティクルボード、ストランドボード等の木片成型板や単板積層材を芯材として通称ベタ芯構造とし、その表裏面に繊維板等の基板を積層し、芯材の一方の木口面には、鏡板が嵌合される凹溝が形成され、芯材の一面から他面に渡って継ぎ目なく連続する化粧シートが貼着されてなる框体」が記載されている。
　甲第４号証には、段落【００１５】、【００２１】、【００２２】及び図１の記載を参照すると、「パーティクルボードと木質繊維板とを積層して棒状にした芯材を枠組みして枠体とし、芯材の木質繊維板の部分に薄い化粧シートを貼着することにより、下地処理を施すことなく容易に貼着できること」が記載されている。
　甲第５号証には、第３頁第２〜７行、第５頁第５〜７行及び第１，２図の記載を参照すると、「合板等に比べ、木質繊維板に化粧シートを貼着すると、平滑に貼着できること」が記載されている。
　甲第６号証には、実用新案登録請求の範囲、段落【０００９】、【００１２】及び図１〜６の記載を参照すると、「合板等木質材を重ね合わせた平板の框部の端辺に沿って中央パネル部を嵌入する係入溝が形成され、係入溝の側壁部を含む框部表面に天然木突板のシートなどをラッピングし、合板等木質材を重ね合わせた平板の中央パネル部の端辺に沿ってテーパ状の係入突部を形成し、係入突部先端付近を含む中央パネル部表面に天然木突板のシートなどをラッピングし、框部の係入溝に中央パネル部の係入突部を嵌入して固定した装飾扉」が記載されている。　
　
（４）対比・判断　
　本件訂正後発明１と、甲第１号証に記載された発明とを比較すると、甲第１号証に記載された発明の「額縁」、「内側縦芯を構成する木質繊維板」、「外側縦芯を構成する木質繊維板」、「両表面板を構成する木質繊維板」、「挿入溝」、「額縁部両側面」、「削り加工で加飾し」、「化粧紙、塩ビシート等の化粧材」、「額縁部、表面板、木口面の表全面および挿入溝の溝内に化粧紙、塩ビシート等の化粧材を貼着」及び「ドア、引戸」は、それぞれの機能に照らし、各々、訂正後発明１の「扉本体」、「長手方向の一方の木口面の木質繊維板」、「長手方向の他方の木口面の木質繊維板」、「表裏面の木質繊維板」、「凹溝」、「凹溝の上端縁および下端縁」、「装飾面が形成され」、「化粧シート材」、「框材の長手方向の他方木口面を被覆し凹溝内側面にかけて框材の表面に化粧シート材が貼着」及び「扉体」に相当するから、両者は、「框材で枠組みされた扉本体の開口部に鏡板が嵌合されてなる扉体において、框材は、長手方向の一方の木口面の木質繊維板、長手方向の他方の木口面の木質繊維板及びその表裏面の木質繊維板で中空に構成し、長手方向の一方の木口面に一方の木口面の木質繊維板の厚さおよび幅の範囲内において凹溝が形成され、凹溝の上端縁および下端縁には木質繊維板の厚さ範囲内において装飾面が形成され、框材の長手方向の他方木口面を被覆し上記凹溝内側面にかけて框材の表面に化粧シート材が貼着されてなる扉体」の点で一致し、下記の点で相違している。
ａ．框材の凹溝に嵌合される鏡板は、訂正後発明１では、四周木口縁には框材の凹溝に嵌合される凸部が設けられ、その上端縁および下端縁には装飾面が形成され、凸部を含む表面に化粧シート材が貼着されているのに対し、甲第１号証に記載された発明では、そのような構成がない点。
ｂ．框材は、訂正後発明１では、木質繊維板とは異なる板材を芯材とし、該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着されているのに対し、甲第１号証に記載された発明では、芯材がなく、木質繊維板だけで中空に構成されていて、框材の長手方向の木口面の木質繊維板相互の厚みにも限定がない点。
　ここで甲第２号証をみると、甲第２号証に記載された発明の「左右縦框、上下横框」、「枠体」、「中比重繊維板」、「鏡板の周縁部」、「枠体の嵌合凹部」、「化粧シート状物」及び「ドア」は、それぞれの機能に照らし、各々、訂正後発明１の「框材」、「扉本体」、「木質繊維板」、「鏡板の四周木口縁」、「框材の凹溝」、「化粧シート材」及び「扉体」に相当するから、甲第２号証には、上記相違点ａにおける訂正後発明１の鏡板と同様な鏡板が記載されており、これを、甲第１号証に記載された発明の鏡板に採用することは、当業者が適宜なし得ることにすぎない。
　しかしながら、甲第２号証における框材は、合板、繊維板、木削片板、単板積層板、集成材、無垢材等が、単独で或いは任意二種以上の複合材であるとは記載されているが、上記相違点ｂにおける訂正後発明１の構成を有しておらず、また、この事項は、甲第３〜６号証のいずれにも記載されておらず、示唆するところもない。
　そして、訂正後発明１は、この事項を構成要件とすることによって平成１３年２月６日付け異議意見書の第７頁第３〜７行に記載の「框材に占める芯材の容積を大きくして框材の曲げ強度を向上させ、反りを防止する、表面を傷つきにくいものとして耐久性を向上させる、化粧シート材貼着の際の作業性や接着性を良好とする、吸湿膨張による寸法変化を防止し、化粧シート材貼着後の表面仕上がりを長期にわたって良好に維持することができる」という作用効果を奏するものである。
　したがって、訂正後発明１は、上記甲第１号証ないし甲第３号証に記載された発明に基づいて、当業者が容易に発明をすることができたものであるとも、また、甲第１、２号証に記載された発明および甲第３〜６号証に記載された周知技術に基づいて、当業者が容易に発明をすることができたものであるともいえない。
　
５．むすび
　以上のとおりであるから、異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１３年３月２６日（２００１．３．２６）
【訂正の要旨】
訂正の要旨
　特許第３０２３６５５号の明細書を、特許請求の範囲の減縮を目的として訂正事項ａ、ｂのように、また、訂正事項ａに関連してなされた明りょうでない記載の釈明及び明りょうでない記載の釈明を目的として訂正事項ｃ、ｄのように訂正する。
　訂正事項ａ：特許請求の範囲の【請求項１】を、次のように訂正する。
「框材で框組みされた扉本体の開口部に鏡板が嵌合されてなる扉体において、框材が、木質繊維板とは異なる板材を芯材として、該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着された基材で構成され、権材の長手方向の上記一方の木口面には上記比較的厚手の木質繊維板の厚さおよび幅の範囲内において凹溝が形成され、該凹溝の上端縁および下端縁には上記比較的厚手の木質繊維板の厚さ範囲内において装飾面が形成され、框材の長手方向の他方木口面を被覆し上記凹溝内側面にかけて権材の表面に化粧シート材が貼着され、一方、鏡板の四周木口縁には権材の凹溝に嵌合される凸部が設けられ、その上端縁および下端縁には装飾面が形成され、上記凸部を含む表面に化粧シート材が貼着されてなることを特徴とする扉体。」
　訂正事項ｂ：特許請求の範囲の請求項２を削除する。
　訂正事項ｃ：明細書の段落【０００６】の記載を、次のように訂正する。
「すなわち本発明は、框材で框組みされた扉本体の開口部に鏡板が嵌合されてなる扉体において、框材が、木質繊維板とは異なる板材を芯材として、該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着された基材で構成され、框材の長手方向の上記一方の木口面には上記比較的厚手の木質繊維板の厚さおよび幅の範囲内において凹溝が形成され、該凹溝の上端縁および下端縁には上記比較的厚手の木質繊維板の厚さ範囲内において装飾面が形成され、框材の長手方向の他方木口面を被覆し上記凹溝内側面にかけて框材の表面に化粧シート材が貼着され、一方、鏡板の四周木口縁には框材の凹溝に嵌合される凸部が設けられ、その上端縁および下端縁には装飾面が形成され、上記凸部を含む表面に化粧シート材が貼着されてなることを特徴とする。」
　訂正事項ｄ：明細書の段落【０００８】〜【００３４】を、一つずつ段落番号を繰り上げて、段落【０００７】〜【００３３】とする。
（５４）【発明の名称】
扉体
（５７）【特許請求の範囲】
　【請求項１】框材で枢組みされた扉本体の開口部に鏡板が嵌合されてなる扉体において、框材が、木質繊維板とは異なる板材を芯材として、
該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着された基材で構成され
上記一方の木口面
上記比較的厚手の木質繊維板
上記比較的厚手の木質繊維板
【発明の詳細な説明】
　【０００１】
　【発明の属する技術分野】本発明は、框材で框組みされた扉本体の開口部に鏡板が嵌合されてなる扉体に関する。
　【０００２】
　【従来の技術】上記扉体の従来例が実公平７−２０３０８号公報に示されている。この扉体において、框材にはその長手方向の片側木口面に凹溝が設けられ、表裏面から凹溝内側面にかけて化粧シート材が貼着される。一方、鏡板の四周縁には権材の凹溝に嵌合される凸部が設けられ、その表裏面には化粧シート材が貼着される。そして、鏡板の凸部を枢材の凹溝に嵌合しつつ組み立てて扉体が構成される。
　【０００３】
　【発明が解決しようする課題】一般に枢材および鏡板の基材には、木材、合板、パーティクルボード、単板積層材、集成材等が用いられるため、それら基材の表面や木口面に開口する導管溝を隠蔽するために厚手の化粧シート材や縁張り材を貼着しなければならず、該化粧シート材や縁張り材の貼着工程が困難なものとなっていた。
　【０００４】基材に目止め処理やシーラー処理等による平滑化処理をした後に化粧シート材や縁張り材を貼着すれば貼着作業自体は容易となるが、工程が煩雑化し、手間がかかり、生産性が低下する。
　【０００５】
　【課題を解決するための手段】そこで本発明は上記従来技術による問題点を解消し、扉体の框材における化粧シート材の貼着作業を容易化して生産性を向上させると共に、框材と鏡板との結合を強化し、更に意匠性にも優れた扉体を提供することを目的とする。
　【０００６】すなわち本発明は、框材で枢組みされた扉本体の開口部に鏡板が嵌合されてなる扉体において、框材が、木質繊維板とは異なる板材を芯材として、
該芯材の長手方向の一方の木口面には比較的厚手の木質繊維板が貼着されると共に、該芯材の長手方向の他方木口面および表裏面には上記比較的厚手の木質繊維板よりも薄い略同一厚さの比較的薄手の木質繊維板が貼着された基材で構成され
上記一方の木口面
上記比較的厚手の木質繊維板
上記比較的厚手の木質繊維板
　【０００７】また、上記鏡板の基材としては木質繊維板が用いられ得る。
　【０００８】
　【発明の実施の形態】本発明の扉体は、框材で框組みされた扉本体の開口部に鏡板が嵌合されてなるものであって、具体的には、図４ないし図６に示されるものを含む各種の態様を取ることができる。
　【０００９】図４に示される態様は、一対の縦框材１，１および一対の横框材２，２より四周框組みされてなる扉本体３の中央開口部に一枚の鏡板４が嵌合されてなる。
　【００１０】図５に示される態様は、図４と同様の框材に加えて更に高さ方向中央部に横桟材５を用いて扉本体３’を構成し、横桟材５によって分割された二つの開口部にそれぞれ鏡板４’を嵌合したものである。
　【００１１】図６に示される態様は、更に幅方向中央部に縦桟材６，６を用いて扉本体３’’を構成し、これら横桟材５および縦桟材６，６によって分割された四つの開口部にそれぞれ鏡板４’’を嵌合したものである。
　【００１２】以下、図４に示される態様の扉体における框材と鏡板の構成並びにそれらの嵌合構造について図１ないし図３を参照して説明するが、他の態様による扉体においても枢材（または桟材）と鏡板の構成並びにそれらの嵌合構造は基本的に図１に示されるものと同様である。
　【００１３】図１を参照して、框材１（または２：以下同じ）は、その基材の長手方向の片側木口面にその長手方向全長に亘って凹溝８が設けられ、該凹溝８を挟んで位置している該片側木口面の上端縁および下端縁には任意形状の装飾面９，９が形成されている。そして、框材１の基材の実質的全表面、すなわち凹溝８とは反対側の木口面を被覆して該凹溝８内側面にかけて化粧シート材１０が貼着されている。
　【００１４】本発明において、框材１の基材は、木質繊維板とは異なる板材を芯材１１とし、該芯材１１の長手方向の両側木口面および表裏面にそれぞれ木質繊維板１２（１２ａないし１２ｄ）を貼着して構成されている。
　【００１５】芯材１１は、木材、合板、パーティクルボード、単板積層材、集成材等の木質繊維板以外の板材で構成される。
　【００１６】芯材１１の表面を覆うように貼着される木質繊維板１２は、比重が０．３５以上のものが好ましい。木質繊維板は表面が平滑であり、全体に均質であるために、その表面に化粧シート材１０を貼着するものとして好適である。
　【００１７】そして、上記凹溝８は芯材１１の片側木口面に貼着される木質繊維板１２ｂの厚さ範囲内に形成され、上記装飾面９，９は芯材１１の表裏面に貼着される木質繊維板１２ａ、１２ｃから片側木口面に貼着される木質繊維板１２ｂにかけて形成される。
　【００１８】片側木口面の木質繊維板１２ｂは、形成すべき凹溝８の深さに応じて比較的厚手のものが用いられ、他の部分に貼着される木質繊維板１２ａ、１２ｃ、１２ｄには化粧シート材１０を良好に貼着するに足る比較的薄手のものを用いることができる。凹溝８および装飾面９，９の刻設形成が均質な木質繊維板の部分で行われるため、加工が容易であり、且つ、加工後の凹溝８内側面および装飾面９，９においても他の木質繊維板の表面部分と同様に、化粧シート材１０が芯材１１の影響を受けることなく十分な接着力、耐久カをもって良好に貼着される。
　【００１９】このため、化粧シート材１０として薄手のものを用いても、凹溝８の内側面および装飾面９，９を含む複雑な面構成の芯材１１の表面に対して化粧シート材１０が良好に貼着される。
　【００２０】化粧シート材１０には、化粧紙、化粧樹脂含浸紙、化粧合成樹脂シート、突板、人工突板、あるいは任意裏打ち材が貼着された突板や人工突板等を用いることができる。
　【００２１】化粧シート材１０の基材（木質繊維板１２）への貼着は、一般に用いられる接着剤を用いて行うことができる。図２を参照して、鏡板４は、基材１５の四周木口縁に凸部１３が形成され、その上端縁および下端縁にはそれぞれ装飾面１４が形成され、該基材１５の凸部１３の表面を含む実質的全表面に化粧シート材１６が貼着されてなる。凸部１３は、枢材１の片側木口面に設けられる凹溝８に嵌合されるものであり、、凹溝８と略相補的形状を有するように設けられる。
　【００２２】鏡板４の基材１５としては、好ましくは比重が０．３５以上の木質繊維板が好適の用いられる。木質繊維板は表面が平滑であり、全体に均質であるため、その表面に化粧シート材１６を貼着するものとして好適である。
　【００２３】前述のように基材１５の四周木口縁には凸部１３および装飾面１４が設けられるが、基材１５に木質繊維板を用いた場合には、これらが均質な木質繊維板の部分刻設形成されることとなるため、加工が容易であり、且つ、加工後の凸部１３および装飾面１４においても他の木質繊維板の表面部分と同様に、化粧シート材１６が十分な接着カ、耐久カをもって良好に貼着される。
　【００２４】このため、化粧シート材１６として薄手のものを用いても、凸部１３および装飾面１４を含む複雑な面構成の基材１５の表面に対して化粧シート材１６が良好に貼着される。
　【００２５】化粧シート材１６には、化粧紙、化粧樹脂含浸紙、化粧合成樹脂シート、突板、人工突板、あるいは任意裏打ち材が貼着された突板や人工突板等を用いることができる。
　【００２６】化粧シート材１６の基材１５への貼着は、一般に用いられる接着剤を用いて行うことができる。
　【００２７】このような框材１と鏡板４を、図３に示されるように、框材１の片側木口面に設けられる凹溝８に、鏡板４の四周木口縁に設けられる凸部１３の対応する一つを嵌入しつつ框組みして、扉体が構成される。
　【００２８】框材１において凹溝８の内側面にまで化粧シート材１０が貼着され、また鏡板４において凸部１３の表面にまで化粧シート材１６が貼着されているため、凸部１３が凹溝８ないに嵌入された状態にあっては、それぞれの化粧シート材１０，１６がパッキンの働きをなし、緊密な嵌合状態が得られる。
　【００２９】また、鏡板４の凸部１３にまで化粧シート材１６が貼着されているため、框材１および／または鏡板４が乾燥収縮したとしても、框材１の凹溝８内に嵌合された鏡いた凸ぶ１３がその素地を露出させることがなく、意匠性を損なうことがない。
　【００３０】
　【発明の効果】本発明の扉体によれば、比較的薄手の化粧シート材を用いた場合であっても、凹溝を含む框材の表面並びに凸部を含む鏡板の表面に対して化粧シート材を簡単な作業で良好に貼着することができ、生産性の向上を図ることができる。
　【００３１】特に、框材の芯材に木質繊維板以外の板材を用いつつその周知に木質繊維板を貼着して構成することにより、化粧シート材の貼着をより一層良好なものとすることができる。
　【００３２】凹溝および凸部にも化粧シート材が貼着されるため、凸部を凹溝内に嵌入した際に化粧シート材がパッキンとして働き、框材と鏡板との結合が緊密且つ強固なものとなる。
　【００３３】更に、框材および／または鏡板の緩衝収縮に伴う凸部の基材素地の現出が防止される。
【図面の簡単な説明】
　【図１】本発明の１実施例による扉体における框材の構成を示す断面図である。
　【図２】同扉体における鏡板の構成を示す断面図である。
　【図３】図１の椎材と図２の鏡板との結合部分を示す部分断面図である。
　【図４】扉体についての一構成例を示す正面図である。
　【図５】扉体についての他の構成例を示す正面図である。
　【図６】扉体についての更に他の構成例を示す正面図である。
　【符号の説明】
１　縦框材
２　横框材
３　扉本体
４　鏡体
８　凹溝
９　装飾面
１０　化粧シート材
１１　芯材
１２　木質化粧板
１３　凸部
１４　装飾面
１５　鏡板の基材
１６　化粧シート材